(57)【要約】【課題】放送送出用のコンテンツを一元管理して映像品質の劣化を低減する。【解決手段】  放送信号送出システムでは、放送に用いるコンテンツを１つのビデオサーバ装置１６で管理する。このビデオサーバ装置１６では、上位にあるＤＳ装置１３から番組編成情報を受け取り、ビデオサーバ装置１６内で、映像を送出する順番を判断して１つのポートから送出する。異なる圧縮方式でエンコードされたコンテンツであっても、ビデオサーバ装置１６内で重畳させることができるため、映像品質の劣化が少なくなる。【選択図】図１
2006262319.tif 000002
【特許請求の範囲】
【請求項１】
任意のコンテンツを所定の時刻に送出させるための編成情報に基づいて該当コンテンツの送出を指定時刻に指示する自動番組制御装置と、
任意の圧縮方式によりエンコードされた複数のコンテンツを格納するコンテンツ格納部、前記編成情報を予め取り込む編成情報入力部、前記編成情報に基づいて前記複数のコンテンツ格納部から指定のコンテンツを読み出し、送出順序に従って送出形式にエンコードするデータ処理部、前記自動番組制御装置から指定される時刻に前記データ処理部でエンコードされたコンテンツを順次読み出し出力するインターフェース部を備えるビデオサーバ装置と、
を具備することを特徴とする放送信号送出システム。
【請求項２】
さらに、前記自動番組制御装置からの指示に従って前記ビデオサーバ装置から送出されるコンテンツを選択的に導出する切替装置を備え、必要に応じて前記切替装置により任意のコンテンツを選択して送出することを特徴とする請求項１記載の放送信号送出システム。
【発明の詳細な説明】
【技術分野】
【０００１】
本発明は、放送局において、コンテンツ素材を予め決められたスケジュールで自動的に選択し、放送信号として送出する放送信号送出システムに関する。
【背景技術】
【０００２】
周知のように、放送局にあっては、オンエア前にＣＭ（広告）／番組／提供案内などの各種コンテンツ素材をＣＭバンク装置、ＶＡＦ（ビデオ・オーディオファイル）装置、ＶＴＲ（ビデオテープレコーダ）等のコンテンツ格納装置に格納しておく。そして、放送送出システムにて、ＡＰＣ（Automatic Program Control）装置から予め決められたスケジュールに従って、複数のコンテンツ格納装置から所定のコンテンツを順次読み出し、切替装置により選択的に導出して、１チャンネルの放送信号として送出する仕組みになっている。
【０００３】
しかしながら、従来の放送送出システムでは、複数のコンテンツ格納装置がそれぞれ異なる圧縮方式でエンコードされたコンテンツ素材を格納していることから、各コンテンツ格納装置から読み出されるコンテンツをいったんデコードしてから切替装置に送出し、切替処理後、再度ＭＰＥＧ２−ＴＳ方式にエンコードする必要があり、映像品質の劣化が生じている。
【０００４】
尚、本発明に適用されるビデオサーバに関する技術としては、特許文献１にその概要が記載されている。
【特許文献１】特開平１１−０３２２９７号公報
【発明の開示】
【発明が解決しようとする課題】
【０００５】
以上述べたように、従来の放送送出システムでは、複数のコンテンツ格納装置がそれぞれ異なる圧縮方式でエンコードされたコンテンツを格納していることから、各コンテンツ格納装置から読み出されるコンテンツをいったんデコードしてから切替装置に送出し、切替処理後、再度ＭＰＥＧ２−ＴＳ方式にエンコードする必要があり、映像品質の劣化が生じている。
【０００６】
本発明は上記の問題を解決し、放送送出用のコンテンツを一元管理して映像品質の劣化を低減することのできる放送信号送出システムを提供することを目的とする。
【課題を解決するための手段】
【０００７】
上記の目的を達成するために、本発明に係る放送信号送出システムは、任意のコンテンツを所定の時刻に送出させるための編成情報に基づいて該当コンテンツの送出を指定時刻に指示する自動番組制御装置と、任意の圧縮方式によりエンコードされた複数のコンテンツを格納するコンテンツ格納部、前記編成情報を予め取り込む編成情報入力部、前記編成情報に基づいて前記複数のコンテンツ格納部から指定のコンテンツを読み出し、送出順序に従って送出形式にエンコードするデータ処理部、前記自動番組制御装置から指定される時刻に前記データ処理部でエンコードされたコンテンツを順次読み出し出力するインターフェース部を備えるビデオサーバ装置とを具備することを特徴とする。
【０００８】
さらに、前記自動番組制御装置からの指示に従って前記ビデオサーバから送出されるコンテンツを選択的に導出する切替装置を備え、必要に応じて前記切替装置により任意のコンテンツを選択して送出することを特徴とする。
【発明の効果】
【０００９】
上記した発明によれば、放送送出用のコンテンツをビデオサーバ装置によって一元管理し、当該サーバ装置内で指定コンテンツを伝送することなく送出形式にエンコードするようにしているので、映像品質の劣化を低減することのできる放送信号送出システムを提供することができる。
【発明を実施するための最良の形態】
【００１０】
以下、本発明の実施の形態について図面を参照して詳細に説明する。
【００１１】
図１は本発明に係る放送信号送出システムの一実施形態を示すブロック構成図である。図１において、１１，１２はそれぞれ放送局内の情報ＬＡＮ、制御ＬＡＮを示している。情報ＬＡＮ１１は、ＤＳ（データサーバ）装置１３を通じてＥＤＰＳ（営業放送システム）１４に接続されている。
【００１２】
上記ＥＤＰＳ１４は、時間帯の番組枠を決定し、各番組枠で放送するコンテンツ素材とその送出時刻を決定する番組編成情報を作成するもので、ここで作成された番組編成情報はＤＳ装置１３を介し、情報ＬＡＮ１１を通じてＡＰＣ装置１５及びビデオサーバ装置１６に入力される。ＡＰＣ装置１５は、番組編成情報に基づいて、所定のタイミングでコンテンツを指定し、送出時刻をビデオサーバ装置１６に通知する。
【００１３】
上記ビデオサーバ装置１６は、具体的には図２に示すように、コンテンツ格納部１６１、編成情報入力部１６２、データ処理部１６３、出力インターフェース部１６４を備える。コンテンツ格納部１６１には、予め放送送出用の複数のコンテンツ（図２では、番組１，番組２，提供１，提供２，ＣＭ１，ＣＭ２，…）が任意の圧縮形式で保存される。編成情報入力部１６２には、ＤＳ装置１３からの番組編成情報が格納される。番組編成情報の一例を図３に示す。
【００１４】
データ処理部１６３は、上記番組編成情報に基づいてコンテンツ格納部１６１から指定のコンテンツを読み出し、送出順序に従って送出形式であるＭＰＥＧ２−ＴＳ方式に変換する。出力インターフェース部１６４は、ＡＰＳ装置１５から指定される時刻にデータ処理部１６３で組み立てられたＭＰＥＧ２−ＴＳによるコンテンツを順次読み出し出力する。
【００１５】
すなわち、上記構成による放送信号送出システムでは、ＣＭ／番組／提供などの各放送に用いるコンテンツを１つのビデオサーバ装置１６で管理する。このビデオサーバ装置１６では、上位にあるＤＳ装置１３から番組編成情報（番組・ＣＭの入る時間等）を受け取り、ビデオサーバ装置１６内で、映像を送出する順番を判断して１つのポートから送出することができる。
【００１６】
この結果、異なる圧縮方式でエンコードされたコンテンツをビデオサーバ装置１６内で重畳させることができるため、映像品質の劣化が少なくなる。例えば、番組と提供社案内を重畳する場合、従来ではそれぞれのコンテンツをデコードし、切替装置内で重畳して再エンコードを行う必要があったが、上記実施形態によれば、ビデオサーバ装置１６内で自動的に重畳し、直接放送用のＭＰＥＧ２−ＴＳによる方式に変換するため、映像品質に対する影響を飛躍的に高めることができる。
【００１７】
尚、本発明は上記した実施の形態そのままに限定されるものではなく、実施段階ではその要旨を逸脱しない範囲で構成要素を種々変形して具体化することができる。例えば、ビデオサーバ装置１６の出力を切替装置１７に導き、他の系統との切替と組み合わせることも可能である。
【００１８】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００１９】
【図１】本発明に係る放送信号送出システムの一実施形態の構成を示すブロック図。
【図２】同実施形態のビデオサーバ装置の具体的な構成を示すブロック図。
【図３】同実施形態の番組編成情報の一例を示す図。
【符号の説明】
【００２０】
１１…情報ＬＡＮ、
１２…制御ＬＡＮ、
１３…ＤＳ（データサーバ）装置、
１４…ＥＤＰＳ（営業放送システム）、
１５…ＡＰＣ装置、
１６…ビデオサーバ装置、
１６１…コンテンツ格納部、
１６２…編成情報入力部、
１６３…データ処理部、
１６４…出力インターフェース部。
【図１】
2006262319.tif 000003
【図２】
2006262319.tif 000004
【図３】
2006262319.tif 000005